(57)【要約】      （修正有）【課題】薬の服用が衛生、安全性に符合し、服用時間も有効に把握できる実用目的に達する錠剤を小分けして入れるピルケース構造を提供する。【解決手段】円いケースには小直径の内リングが形成しており、またケースの外周と同径の大直径の外リングがあり、複数の仕切り片でケースを多数の収納槽に区切って、該仕切り片の中段部に底部まで貫通する係止溝が形成しており、且収納槽の槽面を内が高くて外が低いような傾斜に設け、且外リングの外周に明確な時間表示が形成しており、パーティションとは適当な直径のあるリング体であり、直接に仕切り片の係止溝と合わせて嵌合して定位になれるため、収納槽の区画を更に内・外周槽に分けることができ、一つのケースを覆い合せる円くて透明なケース蓋があり、更に頂面に外周槽の位置に対応する導出口を設ける。【選択図】図１
0003127314.tif 000002
【実用新案登録請求の範囲】
【請求項１】
主としてケース、パーティション及びケース蓋からなり、その中において、円いケースには小直径の内リングが形成しており、またケースの外周と同径の大直径の外リングがあり、複数の仕切り片でケースを多数の収納槽に区切って、該仕切り片の中段部に底部まで貫通する係止溝が形成しており、且収納槽の槽面を内が高くて外が低いような傾斜に設け、且外リングの外周に明確な時間表示が形成しており、パーティションとは適当な直径のあるリング体であり、直接に仕切り片の係止溝と合わせて嵌合して定位になれるため、収納槽の区画を更に内・外周槽に分けることができ、一つのケースを覆い合せる円くて透明なケース蓋があり、更に頂面に外周槽に対応する導出口を設けて、それによって錠剤を分けて入れるピルケースに構成して患者が正確な時間に従って手で取らないで薬を服用でき、薬の服用が衛生、安全性に符合し、薬を飲む時間を有効に把握できることを特徴とするピルケース構造。
【請求項２】
上記ケースの内リング及びパーティションの頂側において収納槽に対応する位置に欠陥を設けることにより、内リングのスペースに入れた乾燥剤が収納槽内の薬品に対して徹底的な除湿作用が行えることを特徴とする請求項１に記載のピルケース構造。
【請求項３】
上記ケース蓋は色のある透明体で製作可能なものであることを特徴とする請求項１に記載のピルケース構造。
【請求項４】
上記ケース蓋の導出口には、分離して使用する蓋を被せて設けることができるため、密閉に閉じたり薬剤の量を把握したりできる効果を提供することを特徴とする請求項１に記載のピルケース構造。
【請求項５】
上記収納槽の仕切り片は内・外リングの縁のつなぎ箇所において非垂直性の弧度の爽角になるため、有効に錠剤が詰まるトラブルを防止できるものであることを特徴とする請求項１に記載のピルケース構造。
【請求項６】
上記円いケースを両方とも内リング及びケースの外周と同径の大直径の外リングがあるように設計して、複数の仕切り片によってケースを多数の収納槽に区切って、該仕切り片の中段部に底部まで貫通する係止溝が形成しており、且収納槽の槽面を内が高くて外が低い傾斜に設計し、更にパーティションを仕切り片の係止溝に嵌合して、収納槽の区画を更に内・外周槽に区切って、且両の頂面に設けた導出口及び出口蓋の透明なケース蓋によって覆い合わせると、一個以上のピルケースに形成して多量の薬品を小分けして使用できるものであることを特徴とする請求項１に記載のピルケース構造。
【請求項７】
上記ケースはケース蓋を伸はして有する矩形のケースに設計でき、そしてケース蓋の頂面に一つの出口蓋で封じる導出口を突出して設け、且ケースの側に其々互いに対応になる係止塊と係止溝を設け、係止塊と係止溝との嵌め合いにより、多数のケースを生じて列に並べるように合わせると内槽によって薬品を分類して収納することができるものであることを特徴とする請求項１に記載のピルケース構造。
【請求項８】
一種のケース肚ケース蓋を伸ばして有する矩形のケースに設計でき、そしてケース蓋の頂面に一つの出口蓋で封じる導出口を突出して設け、且内部において多数の導出口と同数の槽道を区切って設けてから複数の可動仕切り板を利用して横置きの方式でパーティションの欠陥と嵌合すると、一つ一つの槽道を数段の収納槽に区切ることができ、可動仕切り板を引き離せることによって収納槽に分類された薬品を前へ順次に補充して導出口からそのまま口に入れて服用するようにコントロールできるものであることを特徴とする請求項１に記載のピルケース構造。
【考案の詳細な説明】
【技術分野】
【０００１】
本考案のピルケース構造は、パーティションをケースの仕切り片の係止溝と合わせて嵌合することにより、複数の区画の収納槽を内・外周に仕切って設け、更に槽面を斜めに設けることにより、内周に入れた錠剤がパーティションで遮られない場合、外周へ滑ることができるため、薬品を定められた日時に小分けした分類作用が提供でき、特に多量分類、収納簡易、明確さのほか、手で薬品を取ると汚染される虞もない使用効果を有するものである。
【背景技術】
【０００２】
よって、時代の変化及び外来文化の衝撃で国民が段々西洋諸国からの保健薬品で人体に不足した栄養を補充する考え方を受け入れることができるようになり、例えばビタミンA，B，C，E…または総合ビタミン、鉄剤、肝油など保健薬品、特にビタミン類の薬品は近年かなりヒットになる栄養補充の源となったようで、一日一錠か毎日三錠に分けて服用するのがよく見かけられた生活習慣になっており、慢性病にかかって三食に分けて薬を服用しなければならない人にとって必ず一定の時間に従って服用する時こそ薬の効き目が中断されなく、一日も早く健康を取り戻す目的に達するが、唯病気を治すために服用したり栄養を補充するために飲んだりする薬品は、人間として常に忙しさや記憶力の劣れによって飲み忘れや重複服用ということが発生することになり、薬を飲みすぎた場合は人体に負担をかけるため（医療用薬或いはー般の栄養剤は問わない）、注意しなければならないが、一方飲み忘れた場合は薬の効き目が持続できないこととなり、栄養補充にそれほど大きいな影響をもたらさないが、病症を治す治療効果は薬の効き目の中断によって病状の好転に妨げをもたらすことになり、そこで薬品を日時によって分類しておくこそ始めて正確に服用の進度を把握して飲み忘れや重複服用などが改善できるのである。
【考案の開示】
【考案が解決しようとする課題】
【０００３】
本考案の主な目的とは、ピルケース構造を提供することにあり、それはパーティションをケースの仕切り片の係止溝と合わせて嵌合することにより、複数の区画の収納槽を内・外周に仕切って設け、更に槽面を斜めに設けることにより、内周に入れた錠剤がパーティションで遮られない場合、外周へ滑ることができるため、薬を定められた日時に小分けした分類作用が提供でき、特に多量分類、収納簡易、明確さのほか、手で薬を取ると汚染される虞もない使用効果を有するものである。
【０００４】
本考案のもう一つの目的とは、ピルケース構造を提供することにあり、その中において、本考案では透明なケース蓋による覆いを利用してそのままケースに入れた薬の在庫状態が分かるし、また服用の正確な日時も選定できるため、時間通りに飲朽ことができる一方、重複に飲む虞もなくなる実施効果に達するものである。
【０００５】
本考案のまた、もう一つの目的とは、ピルケース構造を提供することにありその中において、本考案では導出口を収納槽の定められた位置と合わせて選定することにより、薬品を導出口から直接に服用者の口の中に入ることができ、手で取らない方法で薬品を湿気、汚染または感染から防ぐし、更に地面に落ちたり紛失したりするトラブルも発生せずに済むものである。
【課題を解決するための手段】
【０００６】
本考案のピルケース構造は、主としてケース、パーティション及びケース蓋からなり、その中において、円いケースには小直径の内リングが形成しており、またケースの外周と同径の大直径の外リングがあり、複数の仕切り片でケースを多数の収納槽に区切って、該仕切り片の中段部に底部まで貫通する係止溝が形成しており、且収納槽の槽面を内が高くて外が低いような傾斜に設け、且外リングの外周に明確な時間表示が形成しており、パーティションとは適当な直径のあるリング体であり、直接に仕切り片の係止溝と合わせて嵌合して定位になれるため、収納槽の区画を更に内・外周槽に分けることができ、一つのケースを覆い合せる円くて透明なケース蓋があり、更に頂面に外周槽に対応する導出口を設けて、それによって錠剤を分けて入れるピルケースに構成して患者が正確な時間に従って手で取らないで薬を服用でき、薬の服用が衛生、安全性に符合し、薬を飲む時間を有効に把握できることを特徴とする。
【考案を実施するための最良の形態】
【０００７】
以下、本考案の構造の実施及び使用例について図面と合わせて説明し、まず図1、2及び3、3−Aを参考してください。
【０００８】
本考案は、主としてケース2、パーティション3及びケース蓋4からなり、考案の特徴とは、円いケース2には小置径の内リング21が形成しており、またケース2の外周と同径の大直径の外リング22があり、複数の仕切り片23でケースを多数の収納槽24に区切って、該仕切り片23の中段部に底部まで貫通する係止溝25が形成しており、且収納槽24の槽面を内が高くて外が低いような傾斜Rに設け、且外リング22の外周に明確な時間表示26が形成しており、パーティション3とは適当な直径のあるリング体であり、直接に仕切り片23の係止溝25と合わせて嵌合して定位になるため、収納槽24の区画を更に内・外周槽241、242に分け、一つのケース2を覆い合せる円くて透明なケース蓋4があり、更に頂面に外周槽242に対応する導出口41を設けて、
それによって薬品Aを分けて入れるピルケース5に構成して(構造の組立は図2のようになる)、その薬品Aを順序によってまず外周槽242に置いてゆき、外周槽242が一杯になるまで入れてから、薬品Aを順序によって内周槽241に入れるようにし、そして内リング21のスペースSには未分類の薬品A１を入れるため、衛生に符合する薬品の小分け作用を実現したのであり(図3を参考してください)、使用者は只ケース蓋4を回して導出口41を正確な日時を表示する外周槽242と合わせると、導出口41から槽内の薬品Aをそのまま口に入れることができるため、手で取らなくて服用の動作が完成できて薬品Aの服用を衛生・安全に符合させることになり、また、外周槽242の薬品Aを全て飲み切ったら、本考案の構造によると、ケース蓋4を開けてパーティション3を上へ適当な距離まで引き上げて底部と槽面との間に間隔距離を形成すると、内周槽241に入れた薬品Aは止めるものもないため、槽面の傾斜Rを利用して外の低い箇所へ滑って位置が移動でき、該薬品Aは沃速に外周槽242の其々の仕切り層に定位できるため、もう一つのサイクルの服用時間を把握することができ (図3−Aに示したよぅに)、薬品の小分けが簡易、便利になる一方、日時で有効に分類する実用目的に達し、構造ではケースの内リング21及びパーティション3の頂側において収納槽24に対応する位置欠陥27を設けることにより内リングのスペースSに入れた乾燥剤Bが収納槽24内の薬品Aに対して徹底的な除湿作用が行え(図1を参考してください)、ケース蓋4の導出口41には一つの分離して使用する蓋6を被せて設けることができるため、密閉に閉じたり薬剤の量を把握したりできる効果を提供するものであり、構造における収納槽24の仕切り片23は内・外リング21、22との縁のつなぎ箇所において非垂直性の弧度の挟角Rになるため、有効に錠剤が詰まるトラブルを防止できるものである。
【０００９】
更に図4及び図5を合わせて説明すると、本考案では円いケース2Aを両方とも内リング21A及びケース2Aの外周と同径の大直径の外リング22Aがあるように設計して、複数の仕切り片23Aによってケースを多数の収納槽24Aに区切って、該仕切り片23Aの中段部に底部まで貫通する係止溝25Aが形成しており、且収納槽24Aの槽面を内が高くて外が低い傾斜R１に設計し、パーティション3Aとは適当な直径のあるリング体であり、直接に仕切り片23Aの係止溝25Aと合わせて嵌合して定位になるため、収納槽24Aの区画を更に内・外周槽241A、242Aに分け、両の頂面に設けた導出口41A及び出口蓋42Aを有する透明なケース蓋4Aは、ケース2Aの端面を覆うために使われるため、構造の上下の端面は同時に薬品Aを小分けする効果を有するようになり(図4を参考してください)、本考案では円いケース2Bの外周において収納槽21Bと相通する出口22Bを設けることができ （と言っても一つの槽の位置には出口22Bを設けないようにする）、且ケース蓋4Bの導出口41B及び出口蓋42Bを出口22Bに対応できる側の位置に改めて設けるため、使用者は只ケース蓋4Bを回して導出口41Bを正確な日時を表示する槽の位置と合わせて導出口41Bから槽内の薬品Aをそのまま口に入れると薬を飲む動作が完成できる（図5を参照）。
【００１０】
それから、図6及び図6−Aと合わせて説明すると、本考案のケース2Cをケース蓋21Cを伸ばして有する矩形のケースに設計でき、そしてケース蓋21Cの頂面に一つの出口蓋22Cで封じる導出口23Cを突出して設け、且ケース2Cの側に其々互いに対応になる係止塊24Cと係止溝25Cを設けるため（図6を参考してください）、ケース2Cは係止塊24Cと係止溝25Cとの嵌め合いにより、更に多数のケース2Cを生じて合わせて列になるような状態をして使用に提供でき、同様に内槽によって薬品Aを分類して収納することができる(構造は図6−Aを利用して示されている)。
【００１１】
更に図7を参考しながら説明すると、一種のケース2Dはケース蓋21Dを伸ばして有する矩形のケースに設計でき、そしてケース蓋21Dの頂面に一つの出口蓋22Dで封じる導出口23Dを突出して設け、且内部に多数の導出口23Dと同数の槽道24Dを設けており、複数の可動仕切り板3Dを利用して横置きの方式でパーティションの欠陥25Dと嵌合すると、一つ一つの槽道21Dを数段の収納槽26Dに区切ることができ、可動仕切り板3Dを引き離せることによって収納槽26Dに分類された薬品Aを前へ順次に補充して導出口23Dからそのまま口に入れて服用するようにコントロールできる。
【００１２】
以上を纏めて考えると、本考案は確かに日時によって詳細に分類された薬品及び分類しない薬品を集中に収納する作用を提供できるため、安全で衛生な服用及び服用の正確さと効率が向上できて使用上の簡易、便利という実質的効果を実現するので明らかに新型特許成立の要旨に符合するものである。
【図面の簡単な説明】
【００１３】
【図１】本考案の構造の立体分解図である。
【図２】本考案の構造の立体組立図である。
【図３】本考案の構造の断面イメージ図である。
【図３−Ａ】本考案を使用して操作する時の断面による説明図である。
【図４】本考案を両方で使用する構造にする場合のイメージ図である。
【図５】本考案のもう一つの構造の立体組立図である。
【図６】本考案を矩形のケースにする場合の立体成型図である。
【図６−Ａ】矩形のケースを繋ぎ合わせて使用するイメージ図である。
【図７】本考案をもう一種の矩形ケースにする場合のイメージ図である。
【符号の説明】
【００１４】
２      円いケース
２１    内リング
２２    外リング
２３    仕切り片
２４    収納槽
２５    係止溝
Ｒ      傾斜
２６    時間表示
２７    欠陥
Ｂ      乾燥剤
３      パーティション
６      蓋
２４１  内周槽
２４２  外周槽
４      ケース蓋
４１    導出口
Ａ      薬品
５      ピルケース
Ａ１    未分類の薬品
２Ａ    もう一つのケース
２１Ａ  内リング
２２Ａ  外リング
２３Ａ  仕切り片
２４Ａ  収納槽
２５Ａ  係止溝
３Ａ    パーティション
２４１Ａ    内周槽
２４２Ａ    外周槽
４Ａ      もう一つのケース蓋
４１Ａ    導出口
４２Ａ    出口蓋
２Ｂ      またもう一つのケース
２１Ｂ    収納槽
２２Ｂ    出口
４Ｂ      ケース蓋
４１Ｂ    導出口
４２Ｂ    出口蓋
２２Ｂ    出口
２０      矩形のケース
２１Ｃ    ケース蓋
２２Ｃ    出口蓋
２３Ｃ    導出口
２４Ｃ    係止塊
２５Ｃ    係止溝
２Ｄ      一種のケース
２１Ｄ    ケース蓋
２２Ｄ    出口蓋
２３Ｄ    導出口
２４Ｄ    槽道
３Ｄ      可動仕切り板
２５Ｄ    パーティションの欠陥
２６Ｄ    収納槽
【図１】
0003127314.tif 000003
【図２】
0003127314.tif 000004
【図３】
0003127314.tif 000005
【図３−Ａ】
0003127314.tif 000006
【図４】
0003127314.tif 000007
【図５】
0003127314.tif 000008
【図６】
0003127314.tif 000009
【図６−Ａ】
0003127314.tif 000010
【図７】
0003127314.tif 000011